(57)【要約】【課題】本発明の課題は、抗菌イオン溶出量が異なる抗菌イオン溶出部材を組み合わせることにより、通水条件に左右されず抗菌イオンを長期間に渡って抗菌効果を持たせられるように溶出できる浄水器用カートリッジを提供することである。【解決手段】水道水を処理する複数のろ材および中空糸膜からなるろ過カートリッジを備えた浄水器であって、ろ材は、水道水中の有機物や重金属を吸着したり、残留塩素を分解除去する機能を持つと、抗菌性能を有する金属イオンを溶出する抗菌イオン溶出部材からなり、吸着剤層と抗菌イオン溶出部材は、浄水器用カートリッジの軸方向にこの順序で配設されるとともに、抗菌イオン溶出部材は、抗菌性能を有する金属イオンの溶出量が異なる少なくとも２種類の抗菌イオン溶出部材を組み合わせて構成されていることを特徴とする浄水器用カートリッジ。【選択図】 図１
2006231147.tif 000002
【特許請求の範囲】
【請求項１】
水道水を処理する複数のろ材および中空糸膜からなる浄水器用カートリッジであって、前記ろ材は、水道水中の有機物および重金属を吸着し、かつ残留塩素を分解除去する機能を併せ持つ吸着剤層と、抗菌性能を有する金属イオンを溶出する抗菌イオン溶出部材を含んでなり、吸着剤層は浄水器用カートリッジの軸方向に抗菌イオン溶出部材の上流側に配設されるとともに、抗菌イオン溶出部材は、抗菌性能を有する金属イオンの溶出量が異なる少なくとも２種類の抗菌イオン溶出部材を組み合わせて構成されていることを特徴とする浄水器用カートリッジ。
【請求項２】
吸着剤層は、活性炭および重金属吸着剤を含有する成形体である、請求項１に記載の浄水器用カートリッジ。
【請求項３】
抗菌イオン溶出部材は、銀および／または銅化合物を母材に担持させたものである、請求項１に記載の浄水器用カートリッジ。
【請求項４】
銀および／または銅化合物は、ハロゲン化塩、硝酸塩、硫酸塩、リン酸塩、硫化塩、酸化塩いずれかの塩基を含む化合物であることを特徴とする、請求項３に記載の浄水器用カートリッジ。
【請求項５】
母材が、粒状活性炭、セラミックスの少なくとも１種類からなる、請求項３に記載の浄水器用カートリッジ。
【請求項６】
抗菌イオン溶出部材のうち、少なくとも１種類（抗菌イオン溶出部材Ａ）は銀および／または銅イオンの溶出量が、通水圧力０．０５ＭＰａ、原水温度２０℃において、通水６Ｌ後で５〜５０ｐｐｂかつ通水５，０００Ｌ後で５ｐｐｂ未満であり、もう１種類（抗菌イオン溶出部材Ｂ）は通水６Ｌ後で５ｐｐｂ以下かつ通水５，０００Ｌ後で５〜５０ｐｐｂであることを特徴とする、請求項１〜５のいずれかに記載の浄水器用カートリッジ。
【請求項７】
前記抗菌イオン溶出部材ＡおよびＢの割合を、重量比Ａ／Ｂ＝５０／５０〜８０／２０の割合とすることを特徴とする請求項６に記載の浄水器用カートリッジ。
【請求項８】
少なくとも２種類の抗菌イオン溶出部材が積層した状態で充填されていることを特徴とする請求項７に記載の浄水器用カートリッジ。
【請求項９】
少なくとも２種類の抗菌イオン溶出部材が混合した状態で充填されていることを特徴とする請求項７に記載の浄水器用カートリッジ。
【請求項１０】
請求項１〜９のいずれかに記載の浄水器用カートリッジを備えた浄水器。
【発明の詳細な説明】
【技術分野】
【０００１】
本発明は、水道水の浄化を行う浄水器に関するもので、より詳しくは、浄水流路内の細菌汚染を防止するために、抗菌イオン溶出部材を内包した浄水器用カートリッジおよびそのカートリッジを用いた浄水器に関する。
【背景技術】
【０００２】
従来、水道蛇口や水道管に接続して水道水を浄化する浄水器のカートリッジとしては、水中に含まれる遊離塩素を分解するろ材や水中に含まれる細菌類を除去する中空糸膜を充填したものが多く知られている。これらのろ材を通過させることにより水道水は浄化されるが、その能力には限りがあるため、使用者は必要に応じて新しいカートリッジに交換する。
【０００３】
水道水に含まれる遊離塩素を分解するろ材としては、特許文献１に記載されているような粒状活性炭や、特許文献２に記載されているような繊維状活性炭の成形体などがある。粒状活性炭あるいは繊維状活性炭で遊離塩素を分解した浄水は、カルキ臭が無く飲用に適しているが、長期間の放置などによって空気中の細菌が侵入すると、水道水に比べて細菌が増殖しやすい。浄水器内部の水についても同様で、浄水出口に細菌が付着すると、カートリッジの出口から浄水器の浄水出口までの間に溜まった浄水中で細菌が増殖する可能性がある。
この対策として、特許文献３には、銀を添着させた活性炭を用いて、浄水中に銀イオンを溶出させる方法が記載されており、これによれば、溶出された銀イオンにより、浄水器内部に溜まった水での細菌増殖を抑制することができる。
【０００４】
しかしながら、活性炭として粒状活性炭を用いる場合には、粒状活性炭に銀を添着することで抗菌効果を発揮することができるものの、遊離塩素の分解という点では性能が低いものとなる。一方、抗菌効果と除塩素性能とを共に高めるためには繊維状活性炭を用いることが好ましいが、その場合、製法上の問題から繊維状活性炭に銀を添着させることが難しい。そのため、簡単な製法で、現実的に浄水器に求められる除塩素性能と抗菌性とを共に満足するためには、繊維状活性炭と抗菌性を付与した粒状活性炭とを併用する必要がある。
そこで、まず、繊維状活性炭を成形する際に、銀を添着した粒状活性炭を混合することが考えられる。しかしながら、この場合、粒状活性炭から溶出した銀イオンが、吸着速度が速い繊維状活性炭に吸着されるためか、結局、浄水中に銀イオンが溶出されないという問題がある。
【０００５】
また、特許文献４には繊維状活性炭の下流側に粒状活性炭を充填する構成が記載されており、この構成で粒状活性炭に銀を添着したものを用いれば、通水時に、粒状活性炭から溶出した銀イオンが繊維状活性炭に吸着されることはない。しかしながら、円筒形に成形された繊維状活性炭の内側に粒状活性炭および中空糸膜モジュールを配置するとカートリッジの外径が著しく大きくなり、一方、外径を小さくするために流路および各ろ材の原水流れ方向に関する厚みを薄くすると、原水流入口および浄水流出口に近く通水抵抗が小さい部分のろ材、すなわち上方の繊維状活性炭、粒状活性炭、中空糸膜が使われ易くなり、性能を発揮できないろ材の割合が多くなる。そして、カートリッジ外径が著しく大きくなると、浄水器用カートリッジをキッチンのシンクに置く据置型やシンクの下の収納部に置くアンダーシンク型であっても、太いカートリッジが邪魔になる。
【０００６】
さらに、特許文献５には、繊維状活性炭と銀を担持した粒状活性炭とを軸方向にこの順序で配設した構成が記載されており、銀イオンが繊維状活性炭に吸着されることなく、ろ材が効率的に使われるとともに、カートリッジ外径を太くすることなく、シンク下にコンパクトに収納できる様態が示されている。しかし、銀を担持した粒状活性炭を１種類しか使用していないため、例えば、水道水を通水した直後、一時的に必要以上の銀イオンが浄水中に溶出してしまうなど、短期間で銀イオンが枯渇する恐れがある。
【特許文献１】特開平１１−４７７３３号公報
【特許文献２】特開平９−２４８５５７号公報
【特許文献３】特開平６−２３２６５号公報
【特許文献４】特開２００１−１７０６２１号公報（例えば、図２）
【特許文献５】特開２００４−２９０８４７号公報
【発明の開示】
【発明が解決しようとする課題】
【０００７】
本発明の課題は、上述のような問題点に鑑み、抗菌イオン溶出量が異なる抗菌イオン溶出部材を組み合わせることにより、通水条件に左右されず抗菌イオンを長期間に渡って抗菌効果を持たせられるように溶出できる浄水器用カ−トリッジを提供することである。
【課題を解決するための手段】
【０００８】
上記課題を解決するための本発明は、水道水を処理する複数のろ材および中空糸膜からなる浄水器用カートリッジであって、前記ろ材は、水道水中の有機物および重金属を吸着し、かつ残留塩素を分解除去する機能を併せ持つ吸着剤層と、抗菌性能を有する金属イオンを溶出する抗菌イオン溶出部材を含んでなり、吸着剤層は浄水器用カートリッジの軸方向に抗菌イオン溶出部材の上流側に配設されるとともに、抗菌イオン溶出部材は、抗菌性能を有する金属イオンの溶出量が異なる少なくとも２種類の抗菌イオン溶出部材を組み合わせて構成されていることを特徴とするものである。
【０００９】
ここで、吸着剤層は、活性炭および重金属吸着剤を含有する成形体であること、抗菌イオン溶出部材は、銀および／または銅化合物を母材に担持させたものであることが好ましい。
この際、銀および／または銅化合物は、ハロゲン化塩、硝酸塩、硫酸塩、リン酸塩、硫化塩、酸化塩いずれかの塩基を含む化合物であること、母材が、粒状活性炭、セラミックスの少なくとも１種類からなることが好ましい。
また、抗菌イオン溶出部材のうち、少なくとも１種類（抗菌イオン溶出部材Ａ）は銀および／または銅イオンの溶出量が、通水圧力０．０５ＭＰａ、原水温度２０℃において、通水６Ｌ後で５〜５０ｐｐｂかつ通水５，０００Ｌ後で５ｐｐｂ未満であり、もう１種類（抗菌イオン溶出部材Ｂ）は通水６Ｌ後で５ｐｐｂ以下かつ通水５，０００Ｌ後で５〜５０ｐｐｂであることが好ましく、前記抗菌イオン溶出部材ＡおよびＢの割合を、重量比Ａ／Ｂ＝５０／５０〜８０／２０の割合とすることも好ましい。
【００１０】
さらに、少なくとも２種類の抗菌イオン溶出部材が積層した状態、もしくは混合した状態で充填されていることが好ましい。
そして、上記のいずれかに記載の浄水器用カートリッジを備えた浄水器も好ましい態様である。
【発明の効果】
【００１１】
本発明の浄水器用カートリッジは、除塩素ろ材と、抗菌性能を有する金属イオンを溶出する抗菌イオン溶出部材とを、浄水器用カートリッジの軸方向にこの順序で配設しているので、遊離塩素を分解でき、カルキ臭がない、おいしい浄水を提供することができる。同時に抗菌性能を有する金属イオンを適度に溶出することができるため、浄水吐出口に細菌が付着したとしても増殖を抑制することができ、また、省スペース化とろ材の有効利用を図ることができる。
【００１２】
そして、除塩素ろ材を繊維状活性炭を含有する成形体とすることで、遊離塩素をより確実に分解、除去することができる。さらに、抗菌イオン溶出部は、銀および／または銅化合物の担持方法が異なる２種類以上の抗菌イオン溶出部材を充填することで、通水温度が一時的に変わった場合であっても、銀および／または銅イオンを適切かつ安全な範囲で、長期間に渡って溶出させることができる。抗菌イオン溶出部材が銀化合物を担持した粒状活性炭を２種類積層させて充填する場合は、銀イオンの溶出が容易にコントロールできる。そして、これら浄水器用カートリッジを装着した浄水器は、カルキ臭がない、おいしい浄水を提供することができ、同時に浄水器内部に滞留した浄水での細菌の増殖を抑制することができる高い安全性をあわせて提供できる。
【発明を実施するための最良の形態】
【００１３】
以下に、本発明の望ましい実施の形態を説明する。なお、本発明は以下の実施の態様に限定されるものではなく、上記本発明の目的を達成できるものであれば良い。
【００１４】
本発明の浄水器用カートリッジ１は、図１の縦断面図に示すように、略円柱型の形を成しており、ハウジング２と、繊維状活性炭と重金属吸着剤とをバインダーによって成形した吸着剤層３と、吸着剤層３に対して浄水器用カートリッジの軸方向下流側に配設した抗菌イオン溶出部４と、これら吸着剤層３や抗菌イオン溶出部４の原水流れ方向下流側に配設した中空糸膜モジュール５などから構成される。
【００１５】
まず最初に、ハウジング２について説明する。
【００１６】
ハウジング２は、略円柱形のボディ１１と、原水受入口１２および浄水供給口１３を有するフタ１４と、Ｏリング１７などのシール部材を介してボディ１１に嵌合している透明窓１６などから成る。フタ１４はＯリング１５などのシール部材を介してボディ１１にネジ締結されている。
【００１７】
次に、吸着剤層３について説明する。
【００１８】
吸着剤層３は、筒状に成形された活性炭成形体２１と、活性炭成形体２１の内周側不織布２２と、外周側不織布２３と、内周側不織布２２のさらに内側に配した補強材２４と、活性炭成形体２１の軸方向端部に接着した上流側キャップ２５と下流側キャップ２６などから構成される。そして、活性炭成形体２１は、水道水中の有機物および重金属を吸着し、かつ残留塩素を分解除去する機能を有している。ここで、有機物はトリハロメタンなどの水道水中に含まれる有害な有機物を、重金属は水道用鉛配管から溶出する鉛などの重金属を、残留塩素は殺菌用に水道水に含まれる遊離残留塩素や結合残留塩素などを、それぞれ指している。
【００１９】
活性炭成形体２１は、活性炭と、バインダーと、重金属吸着剤とを混合して成形したものである。活性炭は、繊維状や粒状、粉末など多様な形状があり、本発明では特に限定するものではないが、繊維状活性炭を使用すると、成形体に加工が容易な点で好ましい。繊維状活性炭はフェノール樹脂を原料としたものなどを用い、バインダーにはポリプロピレンとポリエチレンの芯鞘構造の熱可塑性繊維などを用いることができる。繊維状活性炭およびバインダーのいずれの原料も、前記材料に何ら限定されるものではない。重金属吸着剤は、水道水中に含まれる鉛の吸着能力が高いゼオライトやチタノケイ酸塩が好ましいが、イオン交換樹脂やキレート樹脂なども適宜選択できる。
【００２０】
上流側キャップ２５および下流側キャップ２６は、流路を形成するための樹脂成形品であり、活性炭成形体２１の軸方向端部にそれぞれ接着されている。接着剤は特に限定されないが、安全性の高いシリコーン系やウレタン系の接着剤が好適に用いられる。上流側キャップ２５は、後述の中空糸ケース４３の外周面とＯリング４５などのシール部材を介して固定されており、下流側キャップ２６は、ボディ１１の内表面とＯリング２７などのシール部材を介して固定されている。これによって、流路が形成されて、活性炭成形体２１の外周側から内周側に水が流れる構成となる。径方向に流れる方式は、軸方向に流れる方式に比べて通水抵抗が小さく、十分な浄水量を確保することができる。
【００２１】
補強材２４は、筒状で網状の樹脂成形品であり、活性炭成形体２１の外側から内側に水が通過する際に活性炭成形体２１を支持することで、内外の圧力差によって活性炭成形体２１が内径側に変形したり破損に至ることを防止するとともに流路を形成している。
【００２２】
次に、抗菌イオン溶出部４について説明する。
【００２３】
抗菌イオン溶出部４は、銀や銅など抗菌性を有する金属イオンを溶出する銀および／または銅化合物を、母材に担持させた抗菌イオン溶出部材３１と、外周側筒３６と、１次フィルター３４と２次フィルター３５から構成されている。
【００２４】
抗菌イオン溶出部材３１は、銀や銅など抗菌性を有する銀および／または銅化合物を、母材に担持させたものであり、そのまま使用したり、バインダーを用いて成形体として使用してもよい。銀および／または銅化合物は、抗菌効果を発揮し、かつ安全である範囲内（例えば、銀は米国環境保護局ＥＰＡの飲料水基準０．１ｍｇ／Ｌ（＝１００ｐｐｂ）以下）で溶出する化合物を母材に担持させる方法が好ましく、カートリッジ全体としての銀および／または銅イオン溶出量が５〜１００ｐｐｂの範囲、さらには５〜５０ｐｐｂの範囲内であることが好ましい。化合物の形態としては、ハロゲン化塩、硝酸塩、硫酸塩、リン酸塩、硫化塩、酸化塩いずれかの塩基を含む化合物であると、前記溶出量を実現できる。
【００２５】
ここで、本発明における銀および／または銅イオン濃度は、カートリッジに通水した浄水をガラス瓶などのサンプリング容器にサンプリングし、その体積の約１％の硝酸を添加して銀または銅を完全にイオン化した後、ＩＣＰ（誘導結合プラズマ発光分析装置）もしくは原子吸光分析法で分析した数値を示す。
母材としては、粒状活性炭が水処理用途に広く使用実績があり、安価に入手できる点で好ましいが、セラミックスなどの水処理用ろ材として一般に使用される材料でもよい。粒状活性炭の原料は、安価で品質の安定したヤシ殻、木炭、もしくは均一に加工可能なフェノール樹脂が好ましいが、原料自身から有害な物質が溶出しない安全な原料であれば特に限定されるものではない。また、セラミックスのうち、イオン交換機能を持つゼオライトを選択した場合、抗菌イオンをゼオライト内部の陽イオンとあらかじめ置換して担持させておくことができる点で好ましい。母材の大きさは、抗菌イオン溶出部材を十分に担持できる表面積あるいは体積を持ち、通水抵抗の少ない大きさを選択すればよい。粒状活性炭の場合、２０〜１５０メッシュ程度が好ましい。２０メッシュ以下の大きな粒径では、通水抵抗は少ないものの担持可能な表面積が少なくなる。また、１５０メッシュ以上の小さな粒径では、通水抵抗が大きくなる恐れがある。なお、ここで言うメッシュとは、日本工業規格（ＪＩＳ）Ｚ８８０１で規定された試験用ふるいでふるい分けた大きさを指している。２０メッシュは約０．８５ｍｍ、１５０メッシュは約０．１ｍｍに相当する。
【００２６】
抗菌イオン溶出部材を１種類のみを使用した場合、銀および／または銅化合物が水に容易に溶出してしまうと、抗菌能力を有する期間が短くなる。また、高温の水道水が誤って通水されると、基準値を上回る抗菌イオンが溶出する恐れがある。このような問題を解決するため、同一通水条件で溶出能力が異なる抗菌イオン溶出部材を２種類以上組み合わせることで、長期間に渡って抗菌能力を維持しながら、水質基準を満足する安全性の高い浄水を供給することができる。
【００２７】
抗菌イオン溶出部材のうち少なくとも１種類は、水道水を通水圧力０．０５ＭＰａ、温度２０℃で通水した際、浄水中の抗菌イオン濃度が、通水６Ｌ後で５〜５０ｐｐｂ、かつ通水５，０００Ｌ後で５ｐｐｂ未満であると、通水開始直後から銀および／または銅イオンを浄水中に供給することができる（以後、この溶出能力を持つ抗菌イオン溶出部材を、抗菌イオン溶出部材Ａと称する）。
一方、異なる種類の抗菌イオン溶出部材は、水道水を通水圧力０．０５ＭＰａ、温度２０℃で通水した際、通水６Ｌ後で５ｐｐｂ未満、かつ通水５，０００Ｌ後で５〜５０ｐｐｂであると、長期に渡って必要最小限の銀および／または銅イオンを浄水中に供給することができる（以後、この溶出能力を持つ抗菌イオン溶出部材を、抗菌イオン溶出部材Ｂと称する）。
【００２８】
このように、抗菌イオン溶出部材Ａと抗菌イオン溶出部材Ｂを組み合わせてカートリッジ内に充填していれば、通水時および未使用時いずれの場合にも、カートリッジ全体として長期間に渡って抗菌に必要な銀および／または銅イオンを浄水中に溶出することが可能となる。
銀および／または銅化合物の担持量は、上記溶出量の範囲を満足できればよい。溶出量は、水温、通水速度等によって変化するが、おおむね母材に対して０．１〜３重量％であると、５〜１００ｐｐｂ程度の銀および／または銅イオン溶出量が得られる。担持量が０．１重量％より少ない場合、銀および／または銅イオンがほとんど溶出しないか、総通水量が少ないうちに担持した化合物から抗菌イオンが溶出し尽くす恐れがある。また、担持量が３重量％を越えると、水質基準である１００ｐｐｂ以上の銀および／または銅イオンが連続して溶出する恐れがあり、好ましくない。
【００２９】
担持方法の異なる抗菌イオン溶出部材の配合比は、銀および／または銅化合物の担持量および通水速度によって異なるが、抗菌イオン溶出部材Ａと抗菌イオン溶出部材Ｂとを使用する割合を重量比としてＡ／Ｂ＝５０／５０〜８０／２０とすれば、カートリッジ全体として銀および／または銅イオンの溶出量が５〜５０ｐｐｂ程度にできる。抗菌イオン溶出部材Ａが８０％以上になると通水時に銀および／または銅イオンが溶出しやすくなり、水質基準である１００ｐｐｂを超える恐れがある。また、抗菌イオン溶出部材Ａが５０％以下になると、通水時に抗菌イオン溶出部材Ａからの溶出が減るため、浄水中の抗菌効果が低減する恐れがある。さらに好ましい使用する割合は、重量比としてＡ／Ｂ＝６０／４０〜７０／３０の範囲である。
【００３０】
また、抗菌イオン溶出部材の充填方法について、２種類以上の抗菌イオン溶出部材を混合して充填する方法、積層させる方法がある。混合する場合、カートリッジに一度に充填できるメリットがあるが、配合比の許容範囲が狭くなると、混合のばらつきが溶出能力に影響を与える恐れがある。積層させる場合、充填する回数が増え生産コストアップの要因となるが、配合比は混合の場合に比べて正確になり、溶出量をコントロールしやすい。このように、混合と積層はいずれも利点・欠点を有しているが、正確な溶出量をコントロールできる点においては、積層させる方がより好ましい。積層の順序は特に限定されるものではないが、母材が粒状活性炭の場合、銀および／または銅イオンの一部を吸着することを考慮して、抗菌イオン溶出部材を下流側に配置する方がより好ましい。
【００３１】
抗菌イオン溶出部材の好ましい様態の一例として、ヤシ殻を原料とした粒状活性炭を母材とし、その表面または内部に銀化合物を１重量％担持させた、粒度２４〜４２メッシュの銀添着活性炭であれば、通水抵抗が少なく、単位体積あたりの表面積も大きいため銀イオンが溶出しやすく、かつカートリッジの製造が容易となり、安価に入手できる点で好ましい。
【００３２】
１次フィルター３４、２次フィルター３５および外周側筒３６は、後述する中空糸ケース４３とともに、抗菌イオン溶出部材３１を収容する空間を形成する部材である。１次フィルター３４および２次フィルター３５は、いずれも中空円盤の形状を有し、通水孔３２にメッシュ繊維フィルタ３３が融着されている。１次フィルター３４および２次フィルター３５は、内周側を中空糸ケース４３の外周面と、外周側を外周側筒３６とそれぞれ嵌合させることで、抗菌イオン溶出部材３１が外部に漏れ出ないように固定されている。外周側筒３６、１次フィルター３４および２次フィルター３５の原料は特に限定されるものではないが、安全性があり、安価で精度よく成形可能なＡＢＳ（アクリルニトリル・ブダジエン・スチレン）樹脂やＰＰ（ポリプロピレン）樹脂が好んで用いられる。また、メッシュ繊維３３の原料も特に限定されるものではないが、１次フィルター３４および２次フィルター３５の原料と接着性がよく、安全で安価なＰＥＴ（ポリエチレンテレフタレート）繊維が好んで用いられる。
【００３３】
次に、中空糸膜モジュール５について説明する。
【００３４】
中空糸膜モジュール５は、主に、中空糸膜束４１と、硬化性樹脂４２と、中空糸ケース４３などから構成される。
【００３５】
中空糸ケース４３の内部には、複数本の中空糸膜を束ねて逆Ｕ字状に折り曲げた中空糸膜束４１が収納されており、中空糸膜束４１の両端部は、中空糸ケース４３の下部にて各中空糸間および中空糸と中空糸ケース４３との間に充填された硬化性樹脂４２（封止剤）により封止固定（ポッティング）されている。各中空糸膜は、ポッティング部が一部切断除去されているので、末端が浄水供給口１３に向かって開口している。
中空糸膜モジュール５の中空糸ケース４３は、Ｏリング４４などのシール部材を介してフタ１４に嵌入立設されている。
【００３６】
次に、以上のように構成された浄水器用カートリッジ１の作用について、浄水器用カートリッジ１をアンダーシンク浄水器に装着した状態を示した図２や、カートリッジの縦断面図を示した図３を参照しながら説明する。
水道蛇口５１に設けられた浄水器用バルブ５２を開くと、水道水が原水受入口１２から浄水器用カートリッジ１の内部に流入する。水道水は、まず浄水器用カートリッジの軸方向に流れるとともに吸着剤層３に配設された活性炭成形体２１の外周面から内周面に向かって径方向に流れ、繊維状活性炭によって遊離残留塩素が分解され、同時に、カビ臭の原因物質である２ＭＩＢ（メチルイソボルネオール）やトリハロメタンなどが吸着される。また重金属吸着剤によって鉛イオンが吸着除去される。繊維状活性炭は粒状活性炭に比べて遊離塩素を分解する性能が高く、長期間、確実に遊離塩素を分解する。
【００３７】
遊離塩素が分解された水は、浄水器用カートリッジ１の軸方向に流れるとともに抗菌イオン溶出部４内部を軸方向に流れ、銀および／または銅化合物を担持した母材から銀および／または銅イオンが水中に溶出される。抗菌イオン溶出部４を吸着剤層３に対して浄水器用カートリッジの軸方向下流側に配置することで、浄水器用カートリッジ１を細く長い円柱形状にすることができ、抗菌イオン溶出部を活性炭成形体の内側に設ける場合に比べて、シンクの上に置く場合も、シンクの下の収納部に置く場合も比較的邪魔にならない。また、性能を十分に発揮しないろ材の割合を減らすことができる。
【００３８】
続いて、安全性に問題のない範囲内で銀および／または銅イオンが付与された水は、中空糸膜モジュール５の中空糸膜により鉄サビや細菌などが除去され、浄水として浄水供給口１３から水道蛇口５１に供給される。浄水は水道蛇口５１の吐出口５３から吐出される。
【００３９】
水道蛇口５１の浄水器用バルブ５２を閉じると通水が停止し、浄水器用カートリッジ１の浄水供給口１３から水道蛇口の吐出口５３までの間に、殺菌用の遊離塩素を含まない浄水が滞留する。この状態で吐出口５３に細菌が付着したとしても、抗菌イオン溶出部４から溶出した銀イオンや銅イオンにより細菌の増殖が抑制される。
本発明は以下のように変形実施することができる。
【００４０】
（１）前述の実施態様では抗菌イオン溶出部材を粒状物で説明したが、抗菌イオン溶出部材を成形体としてもよい。この場合、粒状物や粉状物に比べて取り扱いが容易になり、組み立ても簡単になる。
【００４１】
（２）また、（１）のような成形体を抗菌イオン溶出部に用いる場合、銀および／または銅化合物は母材に担持させるだけでなく、粒状の銀および／または銅化合物を直接成形体にバインダとともに担持させてもよい。この場合、図３に示すように水が抗菌イオン溶出部材を内周側から外周側へ径方向に流れる構成にしてもよい。
【００４２】
（３）さらに、（２）において水が抗菌イオン溶出部材を内周面から外周面に向かって流れる構成としたが、図５に示すように外周面から内周面に向かって水が流れる流路構成にしてもよい。
【図面の簡単な説明】
【００４３】
【図１】本発明の一実施態様を示す浄水器用カートリッジの縦断面図である。
【図２】図１に示す浄水器用カートリッジを装着した浄水器の概略斜視図である。
【図３】本発明の一実施態様を示す浄水器用カートリッジの縦断面図である。
【図４】本発明の他の実施態様に係る浄水器用カートリッジの縦断面図である。
【図５】本発明の他の実施態様に係る浄水器用カートリッジの縦断面図である。
【符号の説明】
【００４４】
１ ： 浄水器用カートリッジ
２ ： ハウジング
３ ： 吸着剤層
４ ： 抗菌イオン溶出部
５ ： 中空糸膜モジュール
１１ ： ボディ
１２ ： 原水受入口
１３ ： 浄水供給口
１４ ： フタ
１５ ： Ｏリング
１６ ： 透明窓
１７ ： Ｏリング
２１ ： 活性炭成形体
２２ ： 内周側不織布
２３ ： 外周側成形体
２４ ： 補強材
２５ ： 上流側キャップ
２６ ： 下流側キャップ
２７ ： Ｏリング
３１ ： 抗菌イオン溶出部材
３１Ａ：抗菌イオン溶出部材Ａ
３１Ｂ：抗菌イオン溶出部材Ｂ
３２ ： 通水孔
３３ ： メッシュ繊維
３４ ： １次フィルター
３５ ： ２次フィルター
３６ ： 外周側筒
４１ ： 中空糸膜束
４２ ： 硬化性樹脂
４３ ： 中空糸ケース
４４ ： Ｏリング
４５ ： Ｏリング
５１ ： 水道蛇口
５２ ： 浄水器用バルブ
５３ ： 吐出口
６１ ： 抗菌イオン溶出成形体
【図１】
2006231147.tif 000003
【図２】
2006231147.tif 000004
【図３】
2006231147.tif 000005
【図４】
2006231147.tif 000006
【図５】
2006231147.tif 000007